(57)【要約】【課題】特定の路線の情報が一目で把握することができるとともに、不使用時には巻き取ってコンパクトにし、携帯をしやすくすることができるとともに、その路線のグッズとして駅売店などでの販売が期待される帯状情報体を提供すること。【解決手段】以下の要件を備えることを特徴とする帯状情報体Ａ。（イ）上記帯状情報体Ａは、帯体１と該帯体１の少なくとも一方の面に表示された視覚情報ａとで構成されていること（ロ）上記視覚情報ａは鉄道等の路線に関する情報であること【選択図】図１
2006064924.tif 000002
【特許請求の範囲】
【請求項１】
以下の要件を備えることを特徴とする帯状情報体。
（イ）上記帯状情報体は、帯体と該帯体の少なくとも一方の面に表示された視覚情報とで構成されていること
（ロ）上記視覚情報は鉄道等の路線に関する情報であること
【請求項２】
前記情報は所定の路線の駅名で構成され、該駅名は前記帯体に路線どおりに配置されるとともに配置間隔は実際の駅間距離又は駅間の所要時間に比例して設定されている、請求項1記載の帯状情報体。
【請求項３】
前記帯体の他方の面には前記駅名の表示位置に対応して始発駅からの所要時間若しくは駅間の所要時間の何れか一方又は両方からなる視覚情報が表示されている、請求項２記載の帯状情報体。
【請求項４】
前記帯状情報体は、前記帯体を巻き取る巻取手段を備えた、請求項１、２又は３記載の帯状情報体。
【発明の詳細な説明】
【技術分野】
【０００１】
本発明は、帯状情報体、詳しくは帯体の表面に視覚情報を表示した帯状情報体に関するものである。
【背景技術】
【０００２】
従来、鉄道の路線に関する情報を提供する情報体としては様々なものが提案されている（例えば、特許文献１）。この情報体は、シート上に路線の駅名が表示されたもので、路線の駅名が一目でわかるようになっているものである。
【特許文献１】実用新案登録第３０６７４４２号公報
【発明の開示】
【発明が解決しようとする課題】
【０００３】
本発明が解決しようとする問題点は、上述の情報体はシートを折り畳んで携行しやすいように形成されているが、あくまでシートであるため広げたり畳んだりする作業が発生し、取り扱いが煩雑であるとともに、携行時には折れたり破れたりしないように注意を払わなければならない点であった。
【０００４】
本発明は、上記問題点を解決し、特定の路線の情報が一目で把握することができるとともに、不使用時には巻き取ってコンパクトにし、携帯をしやすくすることができるとともに、その路線のグッズとして駅売店などでの販売が期待される帯状情報体を提供することを課題とする。
【課題を解決するための手段】
【０００５】
前記課題を解決するために本発明に係る帯状情報体は、以下の要件を備えることを特徴とする。
（イ）上記帯状情報体は、帯体と該帯体の少なくとも一方の面に表示された視覚情報とで構成されていること
（ロ）上記視覚情報は鉄道等の路線に関する情報であること
【０００６】
なお、前記情報は所定の路線の駅名で構成され、該駅名は路線どおりに配置されるとともに配置間隔は実際の駅間距離に比例して設定されていることが好ましい。
【０００７】
また、前記帯体の他方の面には前記駅名の表示位置に対応して始発駅からの所要時間若しくは駅間の所要時間の何れか一方又は両方からなる視覚情報が表示され、所定の駅間の駅名がわかるだけではなく、所定駅間の所要時間も判るようにしてもよい。
【０００８】
そして、前記帯状情報体は、前記帯体を巻き取る巻取手段を備え、使用しないときは帯体を巻き取って携帯がしやすいようにしてもよい。
【発明の効果】
【０００９】
請求項１の発明によれば、帯体の表面に鉄道等の路線に関する情報が視覚情報として表示されているので、帯体を引き伸ばすことにより情報が一覧できるし、巻き取れば小さくなり収納しやすい帯状情報体を提供することができる。
【００１０】
請求項２の発明によれば、帯体に表示された視覚情報を所定の路線の駅名で構成し、駅名は路線どおりに配置するとともに、駅名の配置間隔は実際の駅間距離に比例して設定することにより、感覚的に駅間の距離を把握することができる。
【００１１】
請求項３の発明によれば、帯体の裏面には、始発駅からの所要時間若しくは駅間の所要時間の何れか一方又は両方からなる視覚情報を表示することにより、具体的に駅間の距離を把握することができる。
【００１２】
請求項４の発明によれば、帯体を巻き取る巻取手段を備えたので、情報の入手後は帯体を巻き取ってコンパクトにすることができ、携帯に最適な帯状情報体を実現することができる。
【発明を実施するための最良の形態】
【００１３】
帯状情報体を帯体と該帯体の少なくとも一方の面に表示された視覚情報とで構成し、上記視覚情報を鉄道等の路線に関する情報で構成するとともに、この情報を所定の路線の駅名を路線どおりに配置し、この配置間隔は実際の駅間距離に比例して設定し、帯状情報体には上記帯体を巻き取る巻取装置を設けた。
【実施例１】
【００１４】
図１は、本発明に係る帯状情報体Ａの一例を示し、この帯状情報体Ａは、帯体１と、この帯体１の一方の面（以下、この面を表面という）に表示された視覚情報ａとで構成され、帯体１は情報体本体２の内部に配置された巻取手段３によって巻き取られ、ストラップ４を引っ張ると情報体本体２から引き出されるようになっているもので全体として巻尺を模して形成されたものである。
【００１５】
上記視覚情報ａは、鉄道の路線図で構成され、特定の路線（本実施例ではＪＲの南武線に設定）の始発駅から終着駅までの駅名ａ１が全て表示されているものである。
【００１６】
帯体１の表面に表示された駅名ａ１は、図２（ａ）に示すように、実際の駅に配置された案内板と同様に、中央に当該駅名、左下隅に前の駅名、右下隅に後の駅名が表示されたもので、駅名ａ１の表示されるスペースｄ１は全て同一に設定されている。
【００１７】
駅名ａ１と駅名ａ１との間隔ｄ２は、実際の路線の駅間の距離又は駅間の所要時間に比例して設定されており、距離が遠ければ間隔ｄ２が広く、距離が近ければ間隔ｄ２が狭くなるように設定されている。
【００１８】
なお、駅名間のスペースｄ２には、電車の側面の絵柄ａ２が表示され、駅名間のスペースｄ２に対応してドアの数が増減するように設定されている。また始発駅名に表示される電車の側面図は最後尾の車掌室が表示され、終着駅名に表示される電車の側面図は最前部の運転室が表示され、絵柄ａ２は全体として１編成の車両を表示するようになっている。
【００１９】
さらに、帯体１の裏面には、図２（ｂ）に示すように、始発駅からの所要時間が視覚情報として数字ａ３で表示されている。なお、この数字ａ３は駅間の所要時間であってもよいし、始発駅からの所要時間と駅間の所要時間との併記であってもかまわない。
【００２０】
そして、上記帯体１は情報体本体２に内装された巻取手段３で情報体本体２内に巻き取られるようになっている。図３に示すように、上記帯体１は終端５が下ケース１０に形成された支軸１１に回転自在に支持された有底筒状のドラム１２のスリット１９から差し込まれ、内壁面１２ａに接着剤などで固定されていればよい。このドラム１２の内部には巻取手段３を構成するゼンマイバネ１３が収容されるとともに、折り曲げられたゼンマイバネ１３の巻き終わり１４がスリット１８に差し込まれてドラム１２に固定され、巻き始め１５は上記支軸１１のスリット１６に差し込まれて固定されている。
【００２１】
帯体１の先端６は上ケース２０に形成されたスリット２４から引き出され、先端部にはストラップ４が連結されているので、このストラップ４を摘んで引っ張ると、スリット２４から帯体１が引き出されるとともにドラム１２が回転させられ、このドラム１２に巻き終わり１４が固定されたゼンマイバネ３は巻き上げられるようになっている。
【００２２】
なお、上記ドラム１２の上面には係止凸部１７が上方に突出して形成され、この係止凸部１７は上ケース２０に上下に撓むように形成された舌片２１の下面に形成された係止部２２に係止されることにより、ドラム１２の逆回転（ゼンマイ３の巻き戻り）が阻止されるようになっている（図４参照）。
【００２３】
上記舌片２１は、下ケース１０の支軸１１を上動させることにより係止部２２による係止凸部１７の係止が解除できるようになっている。
【００２４】
上記支軸１１は、下ケース１０に上下に撓むように形成された舌片２３の上面に形成され、この舌片２３を押し上げて上方に撓ませることにより支軸１１が上動するようになっており、舌片２１が上方に撓むことにより、係止部２２による係止凸部１７の係止が解除できるようになっている。
【００２５】
上記構成の帯状情報体Ａによれば、ストラップ４を引っ張って帯体１を情報体本体２から引き出すと、帯体１の表面には、図２（ａ）に示すように、特定の路線の駅名ａ１が順番に表示されるとともに、駅名ａ１と駅名ａ１との間のスペースには、車両の側面図の絵柄ａ２が表示されるとともに、絵柄ａ２のスペースｄ２が駅間の距離若しくは所要時間に比例して、距離が近ければスペースｄ２の幅が狭く、距離が遠ければスペースｄ２の幅が広くなるとともに、絵柄ａ２の中に表示される車両に設けたドアの数が増減するので、駅名ａ１から次の駅名が何であり、絵柄ａ２からその駅までの距離（時間）がどのくらいであるかを推測することができる。
【００２６】
所要時間がどの位であるかを具体的に知りたい場合は、図２（ｂ）に示すように、帯体１の裏面を見れば始発駅からの所要時間が数字ａ３で表示されているので、始発駅からの時間が知りたければ数字ａ３をそのまま読み取ればよいし、駅間の所要時間を知りたければ所定の駅名に対応して表示された数字ａ３を引き算すればよい。
【００２７】
情報の入手が必要なくなったら、下ケース１０の舌片２３を押圧して係止部２２による係止凸部１７の係止を解除すると、巻き上げ状態のゼンマイバネ３は巻き戻るのでドラム１２が逆回転し、帯体１はドラム１２に巻き取られるため、瞬時に情報体本体２に収納することができる。
【００２８】
帯体１が巻き取られた帯状情報体Ａは円板状のケースの状態になるので、服のポケットなどに無造作にしまうことができ、情報を知りたいときには取り出して帯体を引き出すだけで路線図を見ることができ、取り扱いに優れた帯状情報体を実現することができる。
【００２９】
上記帯状情報体は、路線ごとに作成されるので、その路線の売店などで利用者に販売する路線グッズとして、様々な路線での販売が期待できる帯状情報体を提供することができる。
【図面の簡単な説明】
【００３０】
【図１】本発明に係る帯状情報体の一例を示す斜視図
【図２】（ａ）（ｂ）は帯体の表示の一例を示す説明図
【図３】上記帯状情報体の底面側分解斜視図
【図４】上記帯状情報体の要部縦断面図
【符号の説明】
【００３１】
１    帯体
２    情報体本体
３    巻取手段
Ａ    帯状情報体
ａ    視覚情報
【図１】
2006064924.tif 000003
【図２】
2006064924.tif 000004
【図３】
2006064924.tif 000005
【図４】
2006064924.tif 000006